(57)【要約】【課題】器具本体内に光源および電源を備えた照明器具において、光源と電源とが相互に熱影響を受けにくい照明器具を提供する。【解決手段】器具本体１０内に光源部５０と電源部６０とを備えた照明器具１において、器具本体１０は、実装基板５１の取付面１５を光源部５０の放射方向とは反対側に凹ませた凹部３０を備え、凹部３０の内面に電源基板６１が配置されている。【選択図】図６
2018106987.tif 000002
【特許請求の範囲】
【請求項１】
器具本体内に光源部と電源部とを備えた照明器具において、
光源が実装される実装基板の取付面を、前記光源部の放射方向とは反対側に凹ませた凹部を設け、
前記凹部の内面に電源基板が配置されている
ことを特徴とする照明器具。
【請求項２】
前記電源基板が、前記凹部の内面であって、前記実装基板から離れた面に配置されていることを特徴とする請求項１に記載の照明器具。
【請求項３】
前記凹部が、前記実装基板の取付面を挟んだ位置にそれぞれ設けられていることを特徴とする請求項１または２に記載の照明器具。
【請求項４】
前記凹部は、道路の車線軸方向に並べて設けられていることを特徴とする請求項３に記載の照明器具。
【請求項５】
前記器具本体は、設置状態においては基端側が固定され、先端から基端に長い形状に形成され、前記凹部が短手を挟む両脇に設けられていることを特徴とする請求項３又は４に記載の照明器具。
【請求項６】
前記凹部は、前記器具本体の天面を膨出させて設けられていることを特徴とする請求項１乃至５のいずれかに記載の照明器具。
【請求項７】
前記器具本体の天面には、前記取付面の裏面部に放熱フィンが備えられていることを特徴とする請求項６に記載の照明器具。
【発明の詳細な説明】
【技術分野】
【０００１】
本発明は、照明器具に関する。
【背景技術】
【０００２】
従来、器具本体内に電源基板および発光基板を備え、屋外に設置され、主に路面を照明する照明器具が知られている（例えば、特許文献１参照）。これらの照明器具では、組み立てを容易に行うために、同一の基板上に光源と、電源部品とが配置されている。
【先行技術文献】
【特許文献】
【０００３】
【特許文献１】特開２０１６−２４９５４号公報
【発明の概要】
【発明が解決しようとする課題】
【０００４】
屋外に設置される照明器具では、器具本体は防水構造であり、器具本体内は密閉空間となっている。器具本体内に収められた光源および電源は、それぞれが発熱体であり、密閉された器具本体内では、相互に熱影響を受け易くなる。器具本体内に収められた光源および電源が相互に熱影響を受けてしまう場合には、投入電力や使用環境に制限を設ける必要があった。
【０００５】
そこで本発明は、上述した事情に鑑みてなされたものであり、器具本体内に光源および電源を備えた照明器具において、光源と電源とが相互に熱影響を受けにくい照明器具を提供することを目的とする。
【課題を解決するための手段】
【０００６】
本発明は、器具本体内に光源部と電源部とを備えた照明器具において、前記器具本体は、光源が実装される実装基板の取付面を前記光源部の放射方向とは反対側に凹ませた凹部を備え、前記凹部の内面に電源基板が配置されていることを特徴とする。
【０００７】
また、上記照明器具において、前記電源基板が、前記凹部の内面であって、前記実装基板から離れた面に配置されていることを特徴としても良い。
【０００８】
また、上記照明器具において、前記凹部が、前記実装基板の取付面を挟んだ位置にそれぞれ設けられていることを特徴としても良い。
【０００９】
また、上記照明器具において、前記凹部は、道路の車線軸方向に並べて設けられていることを特徴としても良い。
【００１０】
また、上記照明器具において、前記器具本体は、設置状態においては基端側が固定され、先端から基端に長い形状に形成され、前記凹部が短手を挟む両脇に設けられていることを特徴としても良い。
【００１１】
また、上記照明器具において、前記凹部は、前記器具本体の天面を膨出させて設けられていることを特徴としても良い。
【００１２】
また、上記照明器具において、前記器具本体の天面には、前記取付面の裏面部に放熱フィンが備えられていることを特徴としても良い。
【発明の効果】
【００１３】
本発明では、器具本体は、光源が実装される実装基板の取付面を、光源部の放射方向とは反対側に凹ませた凹部を備え、前記凹部の内面に電源基板が配置されている。したがって、光源と電源とが高低差を有して離して配置されるため、相互に熱影響を受けにくくすることができる。
【図面の簡単な説明】
【００１４】
【図１】本発明の実施形態に係る照明器具を下方からみた斜視図である。
【図２】照明器具を上方からみた斜視図である。
【図３】照明器具を下方から見た平面図である。
【図４】照明器具の基部蓋体を開いた状態を示す斜視図である。
【図５】照明器具の分解斜視図である。
【図６】図２のＩ−Ｉである。
【図７】筐体の内部構成を示す図であり、筐体を斜め下側からみた図である。
【図８】クランプの斜視図である。
【図９】クランプの平面図である。
【図１０】クランプを器具本体に取り付けている状態を示す図であり、（Ａ）は取り付け前、（Ｂ）及び（Ｃ）は取り付け途中、（Ｄ）は取り付け後を示す図である。
【図１１】クランプを器具本体の取り付けている状態を示す図であり、（Ａ）は取り付け前、（Ｂ）及び（Ｃ）は取り付け途中、（Ｄ）は取り付け後を示す図である。
【図１２】変形例の照明器具を示す斜視図である。
【発明を実施するための形態】
【００１５】
以下、図面を参照して本発明の実施形態について説明する。
図１は本実施形態に係る照明器具１を下方からみた斜視図であり、図２は照明器具１を上方からみた斜視図である。図３は照明器具１を下方から見た平面図であり、照明器具１の内部を示すために、前面カバー１２及び前面枠１３を取り外した状態の照明器具１を示している。
【００１６】
照明器具１は、屋外に設置して、例えば道路照明として用いることができる器具である。図１〜図３に示すように、照明器具１は、器具本体１０を備え、器具本体１０を、道路脇、街路脇、駐車場、公園などの屋外に立設された不図示のポール型の支柱の上端部に支持させて設置し、用いられる。また、照明器具１は、構造物の壁面からアーム状に延びる不図示の支持部材に器具本体１０を支持させて用いられても良い。器具本体１０には、照明器具１を支柱や支持部材に指示させるためのクランプ５が取り付けられている。
【００１７】
なお、以下の説明では、器具本体１０の基端１０Ａから先端１０Ｂに向かう長さＬの方向を道路の幅員方向に合わせて、幅Ｗの方向を道路の車線軸方向に合わせて、照明器具１を道路脇に設置して用いる場合を例に、照明器具１の構成について説明する。
【００１８】
器具本体１０は、平面視略矩形状を成している。また、器具本体１０は、長さＬが幅Ｗよりも大きい縦長形状であり、上下方向の厚さＴが、長さＬや幅Ｗに対して薄い、薄型の器具である。
器具本体１０は、筐体１１と、前面カバー１２と、前面枠１３と、を備えている。筐体１１と、前面カバー１２と、前面枠１３と、は屋外使用に十分に耐え得る耐食性、及び強度を有する部材から形成されている。筐体１１は、高い熱伝導性を有する材料から形成され、例えばアルミニウムやアルミニウム合金等から成る鋳造物（所謂ダイキャスト製）であるのが望ましい。
【００１９】
前面カバー１２は、耐食性、及び強度を有するガラスやポリカーボネート等の材料から形成され、光透過性を有している。前面枠１３は、アルミニウムやアルミニウム合金等から成る鋳造物であっても良いし、耐食性、及び強度を有する強化プラスチック等の金属以外の材料から形成されていても良い。
器具本体１０は、基端１０Ａ側に、基部２０を備えている。基部２０は、筐体１１に一体に形成されている構成であっても良い。基部２０には、器具本体１０を支柱や支持部材に取り付けるためのクランプ５が取り付けられている。
【００２０】
筐体１１は、設置状態で被照射面に対向する面である下面１１Ａが開放した箱型に形成されている。前面カバー１２は、筐体１１の開放した下面１１Ａを覆い、筐体１１の内部の防水を図るように構成されている。前面カバー１２には、外輪の全周に沿ってパッキン１８が取り付けられている。
【００２１】
前面枠１３は、筐体１１の下面１１Ａに前面カバー１２を固定するように構成され、外輪形状が筐体１１の外輪形状と略同一の枠状に形成されている。パッキン１８は、前面カバー１２の外輪と、筐体１１の内面との間に介在すると共に、筐体１１の下面１１Ａと、前面枠１３との間に介在するように構成された断面略Ｕ字状に形成されている。これにより、筐体１１は、前面カバー１２を前面枠１３によって下面１１Ａに固定することで、下面１１Ａが閉塞され、内部が防水構造となる。
【００２２】
前面枠１３には、前面カバー１２を被照射面に臨ませる出射開口１４が設けられている。
器具本体１０内には、図３に示すように光源部５０が収められている。光源部５０は、発光面側を前面カバー１２に対向させて配置されている。これによって、照明器具１は、光源部５０からの光が前面カバー１２を通して出射開口１４から出射され、被照射面に照射されるように構成されている。
【００２３】
図４は、基部２０の内部構成を示す図である。図４に示すように、基部２０は、中空箱型に形成され、内部空間が結線室２１として構成されている。結線室２１の内部では、クランプ５を通して基部２０内に引き込まれた配線が器具本体１０内に収められた光源部５０及び電源部６０からの配線と結線される。また、基部２０には、結線室２１を防水する蓋体２２が設けられている。蓋体２２は、筐体１１の天面１１Ｂに開閉可能に設けられている。結線室２１は、蓋体２２を開いた際には筐体１１の天面１１Ｂ側から外部に開放され、蓋体２２を閉じた際に、内部が防水されるように構成されている。
【００２４】
図５は、照明器具１の分解斜視図である。図５に示すように、筐体１１の内部に収められた光源部５０は、発光素子の一例であるＬＥＤ５３を光源として複数備えている。また、光源部５０は、複数のＬＥＤ５３が実装された実装基板５１と、ＬＥＤ５３の光を制御する光学部材５５とを備えている。光学部材５５には、各ＬＥＤ５３を覆って配置されるレンズ５４が、各ＬＥＤ５３に対応させて複数設けられている。
【００２５】
筐体１１は、天面１１Ｂの内側の面が平らに形成され、当該面が、光源部５０が取り付けられる取付面１５として構成されている。取付面１５は、表面積が光源部５０の実装基板５１と略同じ大きさに形成されている。光源部５０は、実装基板５１の実装面の裏面全体が、取付面１５の表面に面接触させて固定されている。光源部５０は、取付面１５に例えば複数のねじでねじ止めされている構成とすることができる。実装基板５１は、熱伝導性に優れた材料から形成されており、ＬＥＤ５３の熱が実装基板５１から取付面１５に効率よく伝熱されて、筐体１１から放熱されるように構成されている。これによって、光源部５０は、ＬＥＤ５３の熱が効率よく取付面１５から筐体１１に伝熱される。これにより、光源部５０の温度上昇を抑えることができる。
【００２６】
筐体１１には、天面１１Ｂに複数の放熱フィン１６が設けられている。放熱フィン１６は、天面１１Ｂの、取付面１５の裏面部分に相当する位置に複数設けられている。これによって、光源部５０から取付面１５に伝熱された熱は、取付面１５の裏面部分に設けられた放熱フィン１６に伝わりやすい構成となっており、放熱フィン１６から雰囲気に放熱される。よって、光源部５０が高温となることが無く、ＬＥＤ５３が熱影響を受けにくい構成とすることができる。
【００２７】
筐体１１の下面１１Ａには、光源部５０に対向する位置に前面カバー１２が取付面１５と略平行に設けられている。
筐体１１の内部には、光源部５０に並べて、電源部６０が収められている。電源部６０は、照明器具１の外部から供給される商用電力を、光源部５０の規格に合せて電力変換する機器である。電源部６０は、電源基板６１と、電源基板６１の表面に実装される複数種の電子部品６２とから構成されている。電源基板６１は、絶縁性を有する材料から長板状に形成されている。電源部６０は、電源ケース６３の内側に収められて、筐体１１の内部に収容される。電源ケース６３は、ＰＰ樹脂等の絶縁性を有する樹脂材から矩形筒状に形成されている。
【００２８】
図６は、照明器具１の断面図である。図５、図６に示すように、筐体１１の内側には、電源部６０を収める凹部３０が設けられている。凹部３０は、筐体１１の天面を取付面１５に取り付けられた光源部５０の光の放射方向とは反対側に凹ませて設けられている。凹部３０は、取付面１５の長さ方向の延在範囲に亘って延びており、電源基板６１は、凹部３０内に収まる長さに形成されている。
【００２９】
凹部３０は、取付面１５を間に挟んだ位置に一対設けられている。また、一対の凹部３０は、筐体１１の幅方向、つまり、照明器具１の車線軸方向に沿って取付面１５と並べて、取付面１５の両脇に設けられている。凹部３０は、筐体１１の天面１１Ｂを膨出させて形成されており、筐体１１の天面１１Ｂは、放熱フィン１６が設けられた、取付面１５の裏面部分の幅方向の両脇が一段高くなった膨出部１１Ｃとなっている。膨出部１１Ｃは、筐体１１の長手に亘って延び、長手の側縁に沿って、形成されている。
【００３０】
このように、電源部６０を収める凹部３０を、車線軸方向に沿って並べて設けられているため、筐体１１の長さＬ寸法が大きくなるのを防ぐことができる。上述したように、照明器具１は器具本体１０の基端１０Ａ側をクランプ５によって支持するため、筐体１１の長さＬ寸法が大きくなった場合には、クランプ５にかかる力（モーメント）が大きくなる。よって、筐体１１の長さ寸法が大きくなるのを防ぐことで、クランプにかかる力を低減することができる。
【００３１】
電源部６０は、電源ケース６３の内部に収められて、凹部３０の内部に収容される。凹部３０の底面３１は、立壁１７によって取付面１５との間に段差を有して設けられている。このように、光源部５０が取り付けられている取付面１５と、電源部６０が取り付けられている凹部３０の底面３１との間に高低差が設けられている。これにより、光源部５０と電源部６０との間の伝熱経路が延びるため、光源部５０と電源部６０との相互の熱影響を低減することができる。なお、電源部６０を、凹部３０の内側の面のうち、立壁１７を除いた面に取り付けることで、光源部５０と電源部６０との相互の熱影響を低減することができる。電源部６０は、凹部３０の底面３１に限らず、取付面１５から最も離れた凹部３０の内側面３２に熱的に接続されて設けられていても良い。
【００３２】
具体的には、電源基板６１は、電源ケース６３を介して凹部３０の底面３１または内側面３２にねじ止めされていれば良い。また、電源基板６１と電源ケース６３との間に放熱シートを挟んでも良い。
このように、電源部６０を光源部５０から離れた位置の面に配置することで、相互の熱影響を低減することができ。また、上述したように、筐体１１は、光源部５０が取り付けられた取付面１５の裏面に放熱フィン１６を備え、光源部５０の熱が効率よく放熱されるように構成されている。これによって、光源部５０の熱は放熱フィン１６から効率よく放熱され、光源部５０と電源部６０との相互の熱影響を低減するとともに、光源部５０が高温となるのを防ぐことができる。
【００３３】
取付面１５の両脇に設けられた一対の凹部３０には、それぞれ電源部６０（電源部６０Ａ，６０Ｂ）が収められている。実装基板５１には、２つの電源部６０Ａ，６０Ｂから電源が供給されている。実装基板５１に実装された複数のＬＥＤ５３は、一方の電源部６０Ａから電源の供給を受けるＬＥＤ５３と、他方の電源部６０Ｂから電源の供給を受けるＬＥＤ５３とが略半数ずつ配列されている構成であってもよい。また、一方の電源部６０Ａに接続されたＬＥＤ５３と、他方の電源部６０Ｂに接続されたＬＥＤ５３とは、交互に並べられている構成であっても良いし、列毎に配列されている構成でも良いし、複数個のグループにまとめて並べられている構成であっても良い。
【００３４】
このように、１つの実装基板５１に実装された複数のＬＥＤ５３に、２つの電源部６０Ａ，６０Ｂから電源を供給することで、電源部６０Ａ，６０Ｂの何れか一方に不具合が起きた場合でも、他方から電源が供給される。よって、電源部６０Ａ，６０Ｂの何れか一方に不具合が起きた場合でも、照明器具１の点灯を継続することができ、路面が照明されないといった状況を回避することができる。また、取付面１５の両脇に凹部３０を設けることで、電源部６０の重量を筐体１１の幅方向の両側に分散させることができ、クランプ５にかかるモーメントを低減することができる。なお、電源部６０は、２つ設けられている構成に限定されず、１つの電源部６０がどちらか一方の凹部３０に収められている構成であっても良い。
【００３５】
なお、電源部６０は、電源部６０または電源ケース６３が実装基板５１の最外側部に設けられたＬＥＤ５３から、出射開口１４の外周縁部に向かう光Ｌ１を著しく遮らないように設けられていれば、凹部３０からはみ出して設けられていても良い。
【００３６】
以上説明したように、本実施形態では、器具本体１０内に光源部５０と電源部６０とを備えた照明器具１において、器具本体１０は、実装基板５１の取付面１５を光源部５０の放射方向とは反対側に凹ませた凹部３０を備え、凹部３０の内面に電源基板６１が配置されている。
この構成によれば、光源部５０と、電源部６０とを離して配置するため、光源部５０と電源部６０との間の相互の熱影響を低減することができる。また、器具本体１０を熱伝導性に優れた材料から形成することにより、器具本体１０の凹部の内面に配置された電源基板６１から電源部６０の熱を器具本体１０に伝熱して放熱させることができる。よって、電源部６０の熱による光源部５０への影響を低減することができる。また、凹部３０は、光源部５０の放射方向とは反対側に凹んでいるため、光源部５０から放射される光を、凹部３０に収めて電源部６０が妨げることがない。
【００３７】
また、本実施形態では、電源基板６１が、凹部３０の内面であって、実装基板５１から離れた面に配置されている。この構成によれば、光源部５０と、電源部６０との間の伝熱経路が延びることにより、光源部５０と電源部６０との間の相互の熱影響を低減することができる。
【００３８】
また、本実施形態では、凹部３０が、実装基板５１の取付面１５を挟んだ位置にそれぞれ設けられている。この構成によれば、光源部５０に電源を供給する電源部６０を２つに分けて、光源部５０の両脇に配置することができる。よって、一方の電源部６０からの電源の供給が滞った場合でも、光源部５０の照射が完全に失われることが無く、被照射面の照明を継続して行うことができる。これにより、照明器具１を道路照明として用いた際には、安定して道路を照明することができる。
【００３９】
また、本実施形態では、凹部３０は、道路の車線軸方向に並べて設けられている。この構成によれば、長手の端部である基端１０Ａ側が支柱や支持部材に支持される器具本体１０において、器具本体１０の長手寸法を大きくすること無く、凹部３０を設けることができる。よって、クランプ５に掛かる器具本体１０の重量によるモーメントを凹部３０を器具本体１０の長手方向に沿って並べるのに比べて、低減することができる。また、光源部５０と電源部６０とは、上下に重ならないように器具本体１０内に収容されているため、凹部３０を、道路の車線軸方向に並べて設けることで、器具本体１０の長手寸法を大きくすることなく、電源部６０を収容するための十分なスペースを確保することができる。
【００４０】
また、本実施形態では、器具本体１０は、設置状態においては基端１０Ａ側が固定され、先端１０Ｂから基端１０Ａに長い形状に形成され、凹部３０が器具本体１０の短手を挟む両脇に設けられている。この構成によれば、電源部６０の重量を器具本体１０の短手を挟む両脇に分散することができ、器具本体１０をクランプ５により安定して支持することができる。
【００４１】
また、本実施形態では、凹部３０は、器具本体１０の天面１１Ｂを膨出させて設けられている。この構成によれば、器具本体１０が薄肉の構成であっても、凹部３０を設けることができ、器具本体１０を軽量な構成とすることができる。
【００４２】
また、本実施形態では、器具本体１０の天面１１Ｂには、取付面１５の裏面部に放熱フィン１６が備えられている。この構成によれば、光源部５０から取付面１５を介して器具本体１０に伝熱された熱が、取付面１５の裏面である天面１１Ｂから効率よく放熱される。これにより、光源部５０から器具本体１０に伝熱された熱が、器具本体１０を介して電源部６０に伝熱されにくい構成とすることができる。よって、光源部５０と電源部６０との間の相互の熱影響を低減することができる。
【００４３】
ところで、照明器具１は、上述したように、クランプ５を介してポール型の支柱の上端部や、構造物の壁面からアーム状に延びるの支持部材に支持されて用いられる。従来、クランプ５は、ボルトなどの締結具で、基部２０に外側から固定されている。しかしながら、締結具の破損や緩みにより、締結具の結合が解除されてしまう場合があった。締結具の結合が解除された場合であっても、器具本体１０が落下しないように、器具本体１０は、支柱や支持部材とワイヤで連結されているのが一般的であった。しかしながら、ワイヤによる落下防止策では、締結具の結合が解除された際には、器具本体１０がワイヤで吊り下げられた状態となり、落下防止策として十分ではなかった。そこで、本実施形態のクランプ５は、クランプ５を器具本体１０に固定する締結具の結合が解除された場合であっても、器具本体１０が落下に至ることがないような構成を有している。
【００４４】
図７は、筐体１１を、基端１０Ａの斜め下側からみた図である。図８は、クランプ５の斜視図であり、図９はクランプ５を上側から見た平面図である。
図７に示すように、基部２０には、外面を貫通し、内部の結線室２１に連通する引掛孔２５が設けられている。引掛孔２５は、長軸ａの長さが短軸ｂの長さよりも長い楕円形状に形成されている。また、引掛孔２５は、筐体１１の幅方向に、短軸ｂが略平行に配置されている。基部２０は、基端１０Ａ側の端面が、下方に向かって先端１０Ｂ側に徐々に近づく斜めの器具固定面２６として構成されている。器具固定面２６は、基部２０の外側に凸む側面視円弧状に形成されていても良い。詳細については後述するが、引掛孔２５は、クランプ５を筐体１１の取付面１５に対して略垂直な方向、及び、略平行な方向のどちらからでも基部２０に取り付けることができるように、構成されている。
【００４５】
次に、クランプ５の構成について説明する。
クランプ５は、図８、図９に示すように、筒状部６と、フランジ部７と、挿入部８とを備えている。筒状部６は、照明器具１を支持する支柱や支持部材に挿嵌される部位であり、支柱や支持部材に筒状部６を固定するねじやボルトが締められるねじ孔６ａを備えている。フランジ部７は、クランプ５を基部２０に外側から固定するための部位であり、基部２０の器具固定面２６に対応する形状に形成されている。フランジ部７は、器具固定面２６に当接する当接面７ａが、当接面７ａの全体を器具固定面２６に当接させた状態で、基部２０に外側からねじやボルトで固定することができるように構成されている。
【００４６】
フランジ部７を基部２０に固定するためのボルト孔７ｂは、基部２０に対するフランジ部７の固定角度を可変にすべく、長孔形状に形成されている。フランジ部７は、この長孔形状のボルト孔７ｂにボルトを通し、ボルト孔７ｂの範囲内の任意の位置に当該ボルトを固定することで、クランプ５を任意の角度で基部２０に固定することができるように構成されている。
【００４７】
図９に示すように、クランプ５には、筒状部６と、フランジ部７とを貫通して延びる配線孔９が設けられている。照明器具１を支柱や支持部材に支持した際には、この配線孔９を介して、支柱や支持部材の内部から、照明器具１内に配線が引き込まれる。
挿入部８は、フランジ部７を基部２０に外側から固定する際に、基部２０の引掛孔２５に挿入される部位である。挿入部８は、配線孔９の円周に沿った円弧形状に形成され、配線孔９の縁に沿って設けられている。挿入部８は、配線孔９の円周の半分より狭い範囲に沿って設けられており、斜めの当接面７ａにおいて、配線孔９の下縁部に設けられているのが望ましい。
【００４８】
挿入部８の上端には、引掛片８ａが設けられている。引掛片８ａは、挿入部８の上端に沿って設けられ、例えば配線孔９の外径方向に広がる扇状に形成されている。引掛片の形状は他に楕円形状や矩形形状であっても良く、長手方向の寸法Ｌ２が、引掛孔２５の長軸ａの長さより短く、短軸ｂの長さよりも長く構成されていれば良い。長手方向に対して９０度回転した短手方向の寸法は、引掛孔２５の短軸ｂの長さより短く構成されている必要がある。
【００４９】
図１０、図１１は、クランプ５を器具本体１０に組み付ける際の組み付け作業の様子を示す図である。図１０は、クランプ５を器具本体１０に取付面１５に略垂直な方向なら組み付ける際の組み付け作業の様子を示している。図１１は、クランプ５を器具本体１０に取付面１５に略平行な方向なら組み付ける際の組み付け作業の様子を示している。
図１０に示すように、クランプ５を器具本体１０に取付面１５に略垂直な方向なら組み付ける際は、まず、図１０（Ａ）に示すように、引掛片８ａの長手Ｌ２の方向を、引掛孔２５の長軸ａの方向に合わせて、図１０（Ｂ）に示すように、挿入部８を、引掛孔２５に挿入する。挿入部８を、引掛孔２５に挿入した後に、図１０（Ｃ）に示すように、引掛片８ａが引掛孔２５の下縁部２５ａの側に引っ掛かるように、クランプ５を回転させる。そして、図１０（Ｄ）に示すように、フランジ部７を、任意の角度で基部２０の外側に固定する。
【００５０】
また、図１１に示すように、クランプ５を器具本体１０に取付面１５に略平行な方向なら組み付ける際は、まず、図１１（Ａ）に示すように、引掛片８ａの長手Ｌ２の方向を、引掛孔２５の長軸ａの方向に合わせて、図１１（Ｂ）に示すように、挿入部８を、引掛孔２５に挿入する。挿入部８を、引掛孔２５に挿入した後に、図１１（Ｃ）に示すように、引掛片８ａが引掛孔２５の上縁部２５ｂの側に引っ掛かるように、クランプ５を回転させる。そして、図１１（Ｄ）に示すように、フランジ部７を、基部２０の外側に固定する。
【００５１】
このように、クランプ５は、フランジ部７が基部２０の外側にボルトなどで固定されているとともに、引掛片８ａが引掛孔２５の内側に引っ掛けられている。これによって、フランジ部７と基部２０とを固定するボルトの結合が解除されたとしても、引掛片８ａが引掛孔２５の内側に引っ掛けられているため、器具本体１０が落下することがない。
また、クランプ５の基部２０に対する回転方向を変えるだけで、共通のクランプ５を用いて、器具本体１０を地面から立設されたポール型の支柱の上端部にも、構造物の壁面からアーム状に延びる支持部材にも支持させて設置することができる。
【００５２】
図１２は、変形例の照明器具１０１を示す図である。
上述した照明器具１は、比較的大型の道路灯であり、筐体１１の天面１１Ｂは、面積の広い平らな面状に形成されている。このため、筐体１１の天面１１Ｂに鳥が止まりやすくなる。そのため、この変形例の照明器具１０１は、筐体１１１の天面１１１Ｂに鳥が止まりにくい鳥害対応の構成となっている。なお、以下の説明において、上述した照明器具１と同様の構成については、図中に同一の符号を付してその説明を省略する。
【００５３】
図１２に示すように、筐体１１１の天面１１１Ｂには、複数の凸部１１２が設けられている。これらの凸部１１２は、天面１１１Ｂに設けられた放熱フィン１６に沿って設けられている構成であっても良い。放熱フィン１６は、フィンの高さが比較的低い構成であっても良く、放熱フィン１６が設けられていない構成であっても良い。この構成によれば、放熱フィン１６によって、筐体１１１の天面１１１Ｂの上を流れる雨水等の水の流れが妨げられることがない。
【００５４】
複数の凸部１１２は、上端に向かって先細りする形状、例えば四角錐や三角錐等の形状に形成されている。また、複数の凸部１１２は、互いの設置間隔が成長したカラスの横幅より狭い間隔で設置されているのが望ましい。この構成によれば、筐体１１１の天面１１１Ｂに鳥が止まりにくい構成とすることができる。なお、凸部１１２は、筐体１１１の内面の取付面１５に実装基板５１をねじ止めして取り付けるためのねじの間隔に対応させて設けられていても良い。
【００５５】
なお、上述した実施形態は、あくまでも本発明の一態様を例示するものであって、本発明の趣旨を逸脱しない範囲で任意に変形、及び応用が可能である。
【００５６】
例えば、上述した実施形態において、照明器具１を道路照明として用いる場合を例に説明したが、これに限らず、任意の照明器具に適用できる。
【００５７】
また、上述した実施形態において、光源部５０が備える発光素子の一例としてＬＥＤ５３を例示したが、発光素子は、ＬＥＤ５３はなく有機ＥＬ素子などの他の素子でもよい。
【符号の説明】
【００５８】
１  照明器具
５  クランプ
１０  器具本体
１０Ａ  基端
１０Ｂ  先端
１１  筐体
１１Ｂ  天面
１２  前面カバー
１３  前面枠
１４  出射開口
１５  取付面
１６  放熱フィン
１７  立壁
３０  凹部
３１  底面
３２  内側面
５０  光源部
５１  実装基板
６０、６０Ａ、６０Ｂ  電源部
６１  電源基板
６２  電子部品
【図１】
2018106987.tif 000003
【図２】
2018106987.tif 000004
【図３】
2018106987.tif 000005
【図４】
2018106987.tif 000006
【図５】
2018106987.tif 000007
【図６】
2018106987.tif 000008
【図７】
2018106987.tif 000009
【図８】
2018106987.tif 000010
【図９】
2018106987.tif 000011
【図１０】
2018106987.tif 000012
【図１１】
2018106987.tif 000013
【図１２】
2018106987.tif 000014